(57)【要約】      （修正有）【課題】上部に天幕屋根を有する外周開放形の野外テントの屋根高を低く抑え、突然の強い横風に対応できるばかりでなく、奥行きの長い大きな床面積を有する野外テントを提供する。【解決手段】上部に天幕屋根を有する外周開放形の野外テントであって、天幕屋根が、左右の垂直な側面が台形で、天頂部１００ａが平坦で、前後面が下方へ下がる斜面である天幕１と、該天幕を支える左右の側面が台形骨組と、左右の台形骨組の角部に両端を固定して横架される４本の架橋骨組とで構成され、天幕屋根に横風が吹いた場合、風が通風口１３を通り、シート状の蓋１４を押し上げて抜け天幕屋根に係わる吹き上げ力を低減する。【選択図】図６
2006090124.tif 000002
【特許請求の範囲】
【請求項１】
上部に天幕屋根を有する外周開放形の野外テントにおいて、天幕屋根が、左右の垂直な側面が台形で天頂部が平坦で前後面が下方へ広がる斜面である天幕と、該天幕を支える左右の側面が台形骨組と同左右の台形骨組間に台形骨組の角部に両端を固定して横架される４本の架橋骨組とで構成されてなる横風対応型野外テントであって、
前記天幕屋根に、１つの穴からなる通風口又は複数の穴を隣接配置されてなる通風口を１又は複数個配設し、かつ前記通風口に、その外面部に１枚又は複数枚のシート状の蓋を、その上端縁をテントの天頂部の中心部付近に逢着、糊着け等して固着し、同蓋の下部両端はゴムひもを介して係止してなる中程度の固定力を発現する係止手段により通風口に隣接する天幕端縁部に係止してなり、突風又は強風を受けると前記蓋が自動的に開口し、天幕が吹き飛ばされないようになしたことを特徴とする横風対応型野外テント。
【請求項２】
側面が台形をなす天幕の平坦な天頂部に雨水がたまるのを防ぐため、該天頂部に１又は複数本の補強材を背部を上方に突出させた状態で架設してなることを特徴とする請求項１に記載の横風対応型野外テント。
【請求項３】
側面が台形をなす天幕の平坦な天頂部に雨水がたまるのを防ぐため、該天頂部に凸部が設けられ同天頂部側面が三角形をなすことを特徴とする請求項１又は２のいずれかに記載の横風対応型野外テント。
【請求項４】
側面が台形をなす天幕屋根の骨組が、その天頂部はいずれも金属パイプ製の２本又は３本の棟木と２本の梁とで、また屋根の底部はいずれも金属パイプ製の２本の軒桁と２本の妻桁とで構成され、前記屋根天頂部の骨組と前記屋根底部の骨組とが金属パイプ製の４本の垂木によって結合されてなることを特徴とする請求項１〜３のいずれか１項に記載の横風対応型野外テント。
【請求項５】
側面が台形をなす天幕屋根の骨組及びこの屋根の骨組を支える支柱が、それぞれの結合部に適合した組立手段により組立、解体自在に構成されてなることを特徴とする請求項１〜４項のいずれか１項に記載の横風対応型野外テント。
【請求項６】
隣接配置された穴と穴の間に残された天幕屋根の部分が、天幕屋根の強度を保持し得る形状、本数及び幅を持ち、かつ前記通風口の総面積が、突風又は強風を受けたときに前記蓋が開口し得る大きさを有することを特徴とする請求項１〜５のいずれか１項に記載の横風対応型野外テント。
【請求項７】
シート状の蓋が、防水処理されてなるものであることを特徴とする請求項１〜６のいずれか１項に記載の横風対応型野外テント。
【請求項８】
シート状の蓋が、天幕と同様の帆布製のものであることを特徴とする請求項１〜７のいずれか１項に記載の横風対応型野外テント。
【請求項９】
蓋の係止手段が、通風口に隣接する天幕端縁部に一部をフリーに残して係止されてなるものであることを特徴とする請求項１〜８のいずれか１項に記載の横風対応型野外テント。
【請求項１０】
天幕屋根に設けた蓋が、その下部両端又は通風口の下部両隅付近の天幕に固着された紐、金属、プラスチック等のリングに挿通され、通風口の下部両端付近の天幕又は前記蓋の下部両端部の２点にその両端が固着されたゴムひもを介して係止されてなることを特徴とする請求項１〜９のいずれか１項に記載の横風対応型野外テント。
【発明の詳細な説明】
【技術分野】
【０００１】
本発明は、上部に天幕屋根を有する外周開放形の野外テントに関し、特に屋根の構造に特徴を有する横風対応型野外テントに関する。
【背景技術】
【０００２】
従来、上部に天幕屋根を有する外周開放形の野外テントでは、構造が単純で組立も容易なことから、左右の垂直な側面が三角形をなす切り妻屋根のものが主として用いられてきた。しかし、この切り妻屋根の野外テントでは、テントが大型になり奥行きが拡がれば屋根の高さは高くなり、骨組に天幕を被せるのが容易でなくなるばかりか、横風を受ける屋根面積が大きくなり、突然の強い横風に対する危険度が高まるという難点があった。
【発明の開示】
【発明が解決しようとする課題】
【０００３】
本発明は、上記従来技術に鑑み、上部に天幕屋根を有する外周開放形の野外テントの屋根高を低く抑え、突然の強い横風に対応できるばかりでなく、より奥行きの長い、大きな床面積を有する野外テントの実現を図るものである。
【課題を解決するための手段】
【０００４】
本発明者は次の手段によって上記課題を解決した。
（１）上部に天幕屋根を有する外周開放形の野外テントにおいて、天幕屋根が、左右の垂直な側面が台形で天頂部が平坦で前後面が下方へ広がる斜面である天幕と、該天幕を支える左右の側面が台形骨組と同左右の台形骨組間に台形骨組の角部に両端を固定して横架される４本の架橋骨組とで構成されてなる横風対応型野外テントであって、
前記天幕屋根に、１つの穴からなる通風口又は複数の穴を隣接配置されてなる通風口を１又は複数個配設し、かつ前記通風口に、その外面部に１枚又は複数枚のシート状の蓋を、その上端縁をテントの天頂部の中心部付近に逢着、糊着け等して固着し、同蓋の下部両端はゴムひもを介して係止してなる中程度の固定力を発現する係止手段により通風口に隣接する天幕端縁部に係止してなり、突風又は強風を受けると前記蓋が自動的に開口し、天幕が吹き飛ばされないようになしたことを特徴とする横風対応型野外テント。
（２）側面が台形をなす天幕の平坦な天頂部に雨水がたまるのを防ぐため、該天頂部に１又は複数本の補強材を背部を上方に突出させた状態で架設してなることを特徴とする前記（１）に記載の横風対応型野外テント。
（３）側面が台形をなす天幕の平坦な天頂部に雨水がたまるのを防ぐため、該天頂部に凸部が設けられ同天頂部側面が三角形をなすことを特徴とする前記（１）又は（２）のいずれかに記載の横風対応型野外テント。
【０００５】
（４）側面が台形をなす天幕屋根の骨組が、その天頂部はいずれも金属パイプ製の２本又は３本の棟木と２本の梁とで、また屋根の底部はいずれも金属パイプ製の２本の軒桁と２本の妻桁とで構成され、前記屋根天頂部の骨組と前記屋根底部の骨組とが金属パイプ製の４本の垂木によって結合されてなることを特徴とする前記（１）〜（３）のいずれか１項に記載の横風対応型野外テント。
（５）側面が台形をなす天幕屋根の骨組及びこの屋根の骨組を支える支柱が、それぞれの結合部に適合した組立手段により組立、解体自在に構成されてなることを特徴とする前記（１）〜（４）項のいずれか１項に記載の横風対応型野外テント。
（６）隣接配置された穴と穴の間に残された天幕屋根の部分が、天幕屋根の強度を保持し得る形状、本数及び幅を持ち、かつ前記通風口の総面積が、突風又は強風を受けたときに前記蓋が開口し得る大きさを有することを特徴とする前記（１）〜（５）のいずれか１項に記載の横風対応型野外テント。
（７）シート状の蓋が、防水処理されてなるものであることを特徴とする前記（１）〜（６）のいずれか１項に記載の横風対応型野外テント。
（８）シート状の蓋が、天幕と同様の帆布製のものであることを特徴とする前記（１）〜（７）のいずれか１項に記載の横風対応型野外テント。
（９）蓋の係止手段が、通風口に隣接する天幕端縁部に一部をフリーに残して係止されてなるものであることを特徴とする前記（１）〜（８）のいずれか１項に記載の横風対応型野外テント。
（１０）天幕屋根に設けた蓋が、その下部両端又は通風口の下部両隅付近の天幕に固着された紐、金属、プラスチック等のリングに挿通され、通風口の下部両端付近の天幕又は前記蓋の下部両端部の２点にその両端が固着されたゴムひもを介して係止されてなることを特徴とする前記（１）〜（９）のいずれか１項に記載の横風対応型野外テント。
【発明の効果】
【０００６】
本発明により次のような効果が期待できる。
１．本発明の横風対応型野外テントによれば、天幕の垂直断面積が減少するので、横風によって受ける風圧が減少し、突然の強い横風にも対応可能な野外テントが実現できる。
２．本発明の横風対応型野外テントによれば、テント高を低く抑えられるので、安全性の高い、奥行きの長い、床面積の大きいテントの構築が可能になる。
３．本発明の横風対応型野外テントによれば、テント高を低くできるので、橋梁下の河川敷など上部に構造物が存在し通常の野外テントでは使用できない場所における野外テントの使用機会が増加する。
４．本発明の横風対応型野外テントによれば、テント内に突風や強風が吹き込んだとき、天幕屋根に隣接配設した１又は複数の穴からなる通風口、及び側面に設けた通風口の外面部を覆う蓋が自動的に開口することにより、突風又は強風によるテントの倒壊や浮き上がりが防止でき、これに伴う人への危害の虞が減少する。
５．複数の穴と穴の間に残された天幕部分の張力が、天幕の形状を維持するので、通風口付近の天幕が垂れ下がるなどといった不都合が生ぜず、かつ通風口外面部に設けた蓋の天幕内への陥入も防止できる。
【発明を実施するための最良の形態】
【０００７】
本発明の実施の形態を、実施例の図によって説明する。
第１図は、本発明実施例の構成を示す斜視図であり、第１図（ａ）は本発明の第１の実施例の構成を示す斜視図、第１図（ｂ）は本発明の第２の実施例の構成を示す斜視図、第１図（ｃ）は本発明の第３の実施例の構成を示す斜視図、第１図（ｄ）は本発明の第４の実施例の構成を示す斜視図であり、第２図は本発明の第１の実施例の説明用斜視図、第３図は、（ａ）は本発明の第１の実施例の他の例の骨組の斜視図、（ｂ）は本発明の第１の実施例の他の例の補強材の斜視図である。
第４図は、（ａ）は本発明の第２の実施例の骨組の斜視図、（ｂ）は第２の実施例の補強材の斜視図、第５図は、（ａ）本発明の第３の実施例の骨組の斜視図、（ｂ）は第３の実施例の説明用側面図、第６図は、本発明の第４の実施例の説明用斜視図であり、第７図（ａ）及び（ｂ）は、本発明の第４の実施例の係止手段の説明用斜視図、第８図は、本発明の第４の実施例の係止手段の説明用斜視図である。
そして、第９図は、本発明の垂直な側面が台形で天頂部が平坦な天幕屋根の横風対応型野外テントと、従来の切り妻屋根の野外テントとの高さを比較した模式図であり、第１０図は、本発明の垂直な側面が台形で天頂部が平坦な天幕屋根の横風対応型野外テントと、従来の切り妻屋根の野外テントと、第３の実施例の横風対応型野外テントの高さを比較した模式図であり、第１１図は、本発明における骨組の組み立て方法を示す図、第１２図は、テント吹き上げ力の対比表、第１３図は、風上側吹き上げ力の対比表である。
【０００８】
図において、１は本発明の垂直な側面が台形の天幕、１’は従来の切り妻屋根型の天幕、２は骨組、３は棟木、４は梁、５は垂木、６は軒桁、７は妻桁、８は支柱、９は筋交い、１０は補強材（梁）、１０ａはフック、１１は補強材（棟木）、１１ａはフック、１１ｂは補強材の背部、１３は通風口、１４はシート状の蓋、１５は係止手段、１６はゴムひも、１７はリング、１８はゴムひもである。
また、１００は天幕屋根の垂直な側面、１００ａは天幕屋根の天頂部、１００ｂは突出部、１００ｃは天幕屋根の凸部、１００ｄは天頂部側面、２００は骨組の側面、２００ａは骨組の天頂部、２００ｂは骨組の凸部である。
【０００９】
本発明の横風対応型野外テントは、第１図（ａ）〜（ｄ）の本発明実施例の構成を示す斜視図及び第２図の本発明の第１の実施例の説明用斜視図に示すように、上部に天幕屋根を有する外周開放形の野外テントであり、天幕屋根は天幕１と骨組２で構成され、前記天幕屋根は、左右の垂直な側面１００が台形で天頂部１００ａが平坦で前後面が下方へ広がる斜面である天幕１であり、前記天幕１を支える左右の側面２００が台形骨組と同台形骨組間に台形骨組の角部に両端を固定して横架される４本の架橋骨組（棟木３）とで構成される横設四角柱状の骨組２とで構成されている。
そして、前記側面２００が台形骨組をなす天幕屋根の骨組２は、その天頂部２００ａはいずれも金属パイプ製の２本又は３本の棟木３（第５図参照）と２本の梁４で構成され、屋根の底部はいずれも金属パイプ製の２本の軒桁６と２本の妻桁７とで構成されている。
また、棟木３と梁４で構成される前記屋根天頂部２００ａの骨組と、軒桁６と妻桁７で構成される前記屋根底部の骨組とは、金属パイプ製の垂木５によって結合されている。
さらに、前記天幕屋根の骨組２は、複数本（４本以上）の支柱８で支えられ、屋根の骨組２と支柱８とは、筋交い９で結合されている。
【００１０】
以下に、本発明の横風対応型野外テントの実施例を詳細に示す。
（実施例１）
第１図（ａ）の本発明の第１の実施例の構成を示す斜視図に示す本発明の実施例は、いずれも金属パイプ製の棟木３、梁４、垂木５、軒桁６、妻桁７、及び支柱８を組み立てて構成した骨組２に、垂直な側面１００が台形で天頂部１００ａが平坦で前後面が下方へ広がる斜面からなる天幕１を被せて構成されている。
なお、骨組２の組み立てに関しては、第１１図の骨組の組み立て方法を示す図にあるように、天頂部の棟木３と梁４、垂木５の組み立ては第１１図（ａ）に示した手段で、また屋根底部の軒桁６、妻桁７及び垂木５の支柱８への取り付けは第１１図（ｂ）に示した手段で、どちらも従来から用いられている手段で行える。
そして、側面１００が台形をなす天幕屋根の骨組２及びこの屋根の骨組を支える支柱８が、それぞれの結合部に適合した組立手段により組立、解体自在に構成される。
なお、筋交い９は、その一端が支柱８に常時係止され、野外テント組立時に他の一端を軒桁６、及び妻桁７に係止させる構成とすることにより、天幕屋根と支柱８との結合を強化し、野外テントの倒壊を防止する役割を担う。
また、上記構成により天幕屋根の垂直な側面１００を台形骨組とし天頂部１００ａを平坦にかつ前後面が下方へ広がる斜面としたことから、第９図の本発明の垂直な側面１００が台形骨組で天頂部１００ａが平坦な天幕１の屋根の横風対応型野外テントの高さｈ１と、従来の切り妻屋根１’の野外テントの高さｈ１’を比較した模式図に示すように、従来の切り妻屋根１’の天幕屋根に比べて、本発明の天幕１の屋根は、その高さｈ１を７０〜２０％に減じることができ、突然の強い横風に対応できるばかりか、より奥行きの広いテントの構築が可能になるなどの効果が期待できる。
【００１１】
なお、第３図（ａ）の本発明の第１の実施例の他の例の骨組の斜視図及び、第３図（ｂ）の本発明の第１の実施例の他の例の補強材の斜視図に示すように、骨組２の天頂部２００ａの２本の棟木３、３の間に１又は複数本の補強材（梁）１０を架設して天幕１（第１図（ａ）参照）を支え、天幕１の垂れ下がりを抑制することが好ましい。
これは、第１図（ａ）及び第２図に示す実施例１の横風対応型野外テントは、天幕屋根の天頂部１００ａが平坦なため、雨天の際その天頂部分に雨水がたまり天幕が垂れ下がる恐れがあるためであり、第３図（ａ）に示す第１の実施例の他の例に示すように、補強材（梁）１０を架設することにより、雨水がたまることを防止するとともに、野外テント全体の強度を付加することができるものとなる。
なお、前記補強材（梁）１０としては、第３図（ｂ）の第１の実施例の他の例の補強材の斜視図に示すような、両端に棟木３の金属パイプに係止するフック１０ａを有する軽金属製の中空角材等が提案される。その結果、あらかじめ棟木３に補強材（梁）１０を装着するための金具等を準備しておく必要がなく、しかも必要に応じて容易に装着できるので特に好ましいものといえるが、もちろん、ボルトや金具等によって固定することもできる。
【００１２】
（実施例２）
第１図（ｂ）は、本発明の第２の実施例の構成を示す斜視図であり、第１図（ｂ）に示す第２の実施例の横風対応型野外テントは、側面１００が台形をなす天幕の平坦な天頂部に雨水がたまるのを防ぐため、該天頂部に１又は複数本の補強材（棟木）１１（第４図（ａ）参照）を背部１１ｂを上方に突出させた状態で架設して構成されている。
第４図（ａ）は、本発明の第２の実施例の骨組の斜視図、第４図（ｂ）は第２の実施例の補強材の斜視図である。
前述のように、実施例１の横風対応型野外テントでは天幕屋根の天頂部１００ａが平坦なため、雨天の際その天頂部分に雨水がたまり天幕１が垂れ下がる恐れがある。
そこで第４図（ａ）に示した第２の実施例のように、骨組の天頂部２００ａの２本の梁４、４の間に１又は複数本の補強材（棟木）１１を背部１１ｂを上方に突出させた状態で架設して天幕１（第１図参照）を支え、天幕１の垂れ下がりを抑制することが好ましい。
前記補強材（梁）１１としては、第４図（ｂ）の第２の実施例の補強材の斜視図に示すような、両端に梁４の金属パイプに係止するフック１１ａを有する軽金属製の長尺材等が提案される。その結果、あらかじめ梁４に補強材（棟木）１１を装着するための金具等を準備しておく必要がなく、しかも必要に応じて容易に装着できるので好ましい。もちろん、ボルトや金具等によって固定することもできる。
このように、補強材（棟木）１１の背部１１ｂを上方に突出させた状態で架設し、天幕１を骨組２に被せることにより、第１図（ｂ）に示すごとく、天幕１の天頂部１００ａには、突出部１００ｂが形成される。
前記突出部１００ｂの形成により、天幕１の天頂部１００ａに雨水がたまることを防ぐことができる構成となる。
【００１３】
また、第１０図は、本発明の垂直な側面１００が台形で天頂部１００ａが平坦な天幕１の屋根の横風対応型野外テントと、従来の切り妻屋根の天幕１’の野外テントと、第２の実施例の横風対応型野外テントの高さ（突出部１００ｂの頂点）を比較した模式図であるが、従来の切り妻屋根の天幕１’の野外テントの高さｈ１’と比べて、第２の実施例の横風対応型野外テントの高さｈ１ｂは、天頂部１００ａが平坦な天幕１の屋根の横風対応型野外テントの高さｈ１と同様に７０〜２０％に減じることができ、前記の雨水がたまることが防ぐことができるだけでなく、突然の強い横風に対応でき、かつより奥行きの広いテントの構築が可能になるなどの効果が期待できるものとなっている。
【００１４】
（実施例３）
第１図（ｃ）は、本発明の第３の実施例の構成を示す斜視図であり、第１図（ｃ）に示す第３の実施例の横風対応型野外テントは、側面１００が台形をなす天幕１の平坦な天頂部１００ａ（第１図（ａ）参照）に雨水がたまるのを防ぐため、該天頂部１００ａに凸部を設け、同天頂部側面１００ｄが三角形を形成して構成されている。
第５図（ａ）は、本発明の第３の実施例の骨組の斜視図であるが、前述のように、実施例１の横風対応型野外テントでは天幕屋根の天頂部１００ａが平坦なため、雨天の際その天頂部分に雨水がたまり天幕１が垂れ下がる恐れがあるので、第５図（ｂ）に示すように、骨組２の側面２００の上辺に凸部２００ｂを設け、三角形２００ｃを形成し、同骨組２の左右の側面２００の三角形２００ｃの天頂部２００ｄに棟木３（第５図（ａ）参照）を横架することにより、第５図（ａ）に示すように、骨組の天頂部２００ａに凸部２００ｂを形成して、天幕１（第１図（ｃ）参照）を支え、雨水等による天幕１の垂れ下がりを抑制する構成となっている。
【００１５】
（実施例４）
第１図（ｄ）は、本発明の第４の実施例の構成を示す斜視図であり、第１図（ｄ）
に示す第４の実施例の横風対応型野外テントは、前記実施例３の横風対応型野外テントの天幕屋根に、複数の穴が隣接配置された通風口１３が配設され、かつ前記通風口１３に、その外面部にシート状の蓋１４が、その上端縁を天幕屋根の天頂部１００ａの中心部付近に逢着、糊着け等して固着され、同蓋１４の他の端縁は１又は複数の中程度の固定力を発現する係止手段１５によって、通風口１３に隣接する天幕端縁部に係止されて形成され、突風又は強風を受けると前記蓋１４が自動的に開口し、天幕１が吹き飛ばされないように構成されているものである。
上記、第４の実施例で構成される横風対応型野外テントは、第６図の本発明の第４の実施例の説明用斜視図に示すように、横風（矢印）が吹いた場合に、風が通風口１３を通り、シート状の蓋１４を押し上げて抜けていく構成となっており、横風による天幕屋根に係る吹き上げ力を低減することができるものとなっている。
【００１６】
なお、前記通風口１３は、本実施例においては、複数の円形で形成されているが、その形状は円形に限定されるものではなく、また１又は複数個で形成し、そして、前記通風口１３の外面部に配置されるシート状の蓋１４も１又は複数個で形成することができるものであり、これらは、天幕屋根に係る吹き上げ力を低減できる充分な通気性を有するものであればよい。
【００１７】
なお、複数個の通風口１３を形成する場合には、隣接配置された穴と穴の間に残された天幕屋根の部分が、天幕屋根の強度を保持し得る形状、本数及び幅を持ち、かつ前記通風口１３の総面積が、突風又は強風を受けたときに前記蓋１３が開口し得る大きさを有するように形成する。
また、シート状の蓋１４は、防水処理されたもので構成することが好ましい。
そして、前記シート状の蓋１４は、天幕１と同様の素材、例えば帆布製で構成されることが好ましい。
【００１８】
また、本発明の第４の実施例の横風対応型野外テントにおけるシート状の蓋１４の端縁は、１又は複数の中程度の固定力を発現する係止手段１５によって、通風口１３に隣接する天幕短縁部に係止されるがことが好ましい。
なお、前記係止手段１５としては、通風口１３に隣接する天幕端縁部に一部をフリーに残して係止するものや、面ファスナーを用いたもの、磁石の吸着力によるもの、あるいは第７図（ａ）の第４の実施例の係止手段の説明用斜視図に示すような蓋１４の下部両端をゴムひも１６を介して係止するもの、第７図（ｂ）の第４の実施例の係止手段の説明用斜視図に示すような蓋１４の下部両端又は通風口１３の下部両隅付近の天幕１に固着された紐、金属、プラスチック等のリング１７に挿通され、通風口１３の下部両端付近の天幕１又は前記蓋１４の下部両端部の２点にその両端が固着されたゴムひも１８を介して係止する手段などが挙げられる。前記ゴムひも１８は、突風又は強風によって前記蓋１４が通風口１３から風圧を逃すのに必要な高さまで吹き上がる長さを持たせて取り付けることが好ましい。
また、突風又は強風によって浮き上がった蓋１４が、めくれ上がったまま通風口１３が閉じない状況になるのを防止するためにも、前記蓋１４の下部両端をゴムひも１６を介して天幕に係止したり、その下部両端又は通風口１３の下部両隅付近の天幕に固着された紐、金属、プラスチックス等のリング１７に挿通され、通風口１３の下部両隅付近の天幕又は前記蓋１４の下部両端部の２点にその両端が固着されたゴムひも１８を介して係止したりするのも有効である。
【００１９】
その他、第８図の第４の実施例の係止手段の説明用斜視図に示すように、シート状の蓋１４の左右端縁部が、通風口１３の左右端縁に折りひだによって伸縮自在に構成された防水シート１９を介して固着され、前記蓋１４の開口時に通風口１３の左右端からのテント内への雨水の流入を防止できるように構成する方法なども挙げられる。
本実施例における通風口１３と通風口１３を覆う蓋１４との面積比は、雨天時に突風又は強風によって前記蓋１４が吹き上げられた場合の雨水の流入具合を考慮して定められるが、前記の第８図に示すような、シート状の蓋１４の左右端縁部を、折りひだによって伸縮自在に構成されたプリーツ状の防水シート１９を介して天幕１に固着し、前記蓋１４の開口時に通風口１３の左右端から雨水の流入を効果的に防止する手段などを採用することが好ましい。
【００２０】
また、前記複数の通風口１３はすべて同一形状、同一面積である必要はなく、天幕１と蓋１４との係止手段１５による固定力も同一である必要はなく、突風又は強風がテント内に吹き込んだとき、その風圧の大小によって蓋１４が自動的かつ効果的に開口する形態であればよい。
【００２１】
なお、第１図（ｄ）に示す本発明の第４の実施例は、前記実施例３の横風対応型野外テントの天幕屋根に、複数の穴が隣接配置された通風口１３が配設され、かつ前記通風口１３に、その外面部にシート状の蓋１４が、その上端縁を天幕屋根の天頂部１００ａの中心部付近に逢着、糊着け等して固着され、同蓋１４の他の端縁は１又は複数の中程度の固定力を発現する係止手段１５によって、通風口１３に隣接する天幕端縁部に係止されて形成されているが、前述の実施例１の横風対応型野外テントや、実施例２の横風対応型野外テントにも同様に、１つの穴からなる通風口又は複数の穴を隣接配置して通風口１３を配設し、かつ前記通風口１３に、その外面部にシート状の蓋１４を、その上端縁を天幕屋根の天頂部１００ａの中心部付近に逢着、糊着け等して固着し、同蓋１４の他の端縁を１又は複数の中程度の固定力を発現する係止手段１５によって、通風口１３に隣接する天幕端縁部に係止されて形成することができ、突風又は強風を受けると前記蓋１４が自動的に開口し、天幕１が吹き飛ばされないように構成することができる。
【００２２】
また、第１図（ｄ）に示す本発明の第４の実施例においては、複数の通風口１３を天頂部１００ａ近傍に配置したが、横風対応型野外テントの設置場所や使用環境によっては、天幕屋根の左右の垂直な側面に通風口１３を配設し、シート状の蓋１４を固着することもできる。
【００２３】
ここで、本発明の横風対応型野外テントに関し、第１２図にテント吹き上げ力の対比表、第１３図に、風上側吹き上げ力の対比表を示す。
前記対比表は、従来より使用されている左右の垂直な側面が三角形をなす切り妻屋根の野外テント（在来型切り妻屋根タイプ）と、上記実施例３の左右の垂直は側面が台形で、天頂部に凸部が設けられ同点頂部側面が三角形をなす野外テント（台形屋根タイプ：シート蓋なし）と、上記実施例４の左右の垂直は側面が台形で、天頂部に凸部が設けられ同点頂部側面が三角形をなし、複数の通風口１３が天頂部近傍に配置された横風対応型野外テント（台形屋根タイプ：シート蓋あり）を、それぞれ風速５〜２０ｍ／ｓの場合に関し、テント吹き上げ力及び風上側吹き上げ力を算定し、テント吹き上げ力に関しては改善率を、風上側吹き上げ力に関しては、転倒性における転倒（ＮＧ）、耐転倒（ＯＫ）を表している。
【００２４】
算定の前提条件としては、
１．テントを仮設建築物とし、建築基準法施行令第８７条による風圧力算定（風速については本検討用に別途定める）を適用する。
２．テントの設営は地上に配置し、四隅をアンカーで地面に打ち込んで固定しているものとする。
３．テントの自重は８０kg、アンカー１本の引抜き耐力は２０Kgとする。
４．テントの耐転倒性検討においては、柱・梁等の個々の部材及び接続部の強度は充分に確保されているものとする。
５．部材等の破壊より先に風圧によるテント自体の浮上り・転倒が発生するものとする。
６．一方向のみの風を対象とし、ビル風等複合的な風に対しての風圧力及び耐転倒性は考慮しない。
７．速度圧は建築基準法施行例第８７条、建設省告示第１４５４号に基づいて算定し、地表面粗度区分はＩＩとして計算する。
・風速５ｍ／Ｓ：速度圧２７Ｎ／ｍ2
・風速６ｍ／Ｓ：速度圧３８Ｎ／ｍ2
・風速７ｍ／Ｓ：速度圧５２Ｎ／ｍ2
・風速８ｍ／Ｓ：速度圧６８Ｎ／ｍ2
・風速９ｍ／Ｓ：速度圧８６Ｎ／ｍ2
・風速１０ｍ／Ｓ：速度圧１０７Ｎ／ｍ2
・風速１１ｍ／Ｓ：速度圧１２９Ｎ／ｍ2
・風速１２ｍ／Ｓ：速度圧１５４Ｎ／ｍ2
・風速１３ｍ／Ｓ：速度圧１８０Ｎ／ｍ2
・風速１４ｍ／Ｓ：速度圧２０９Ｎ／ｍ2
・風速１５ｍ／Ｓ：速度圧２４０Ｎ／ｍ2
・風速１６ｍ／Ｓ：速度圧２７３Ｎ／ｍ2
・風速１７ｍ／Ｓ：速度圧３０８Ｎ／ｍ2
・風速１８ｍ／Ｓ：速度圧３４５Ｎ／ｍ2
・風速１９ｍ／Ｓ：速度圧３８５Ｎ／ｍ2
・風速２０ｍ／Ｓ：速度圧４２６Ｎ／ｍ2
【００２５】
テント吹き上げ力は、第１２図のテント吹き上げ力の対比表に示す通り、在来型切り妻屋根タイプに係るテント吹き上げ力が最も大きく、続いて台形屋根タイプ（シート蓋なし）に係るテント吹き上げ力が大きく、台形屋根タイプ（シート蓋あり）に係るテント吹き上げが最も小さいことがわかる。
改善率は、在来型切り妻屋根タイプと比較し、台形屋根タイプのシート蓋なしで、７４．５％、シート蓋ありにおいては、７２．４〜６６．０％となり、およそ４５％程度、吹き上げ力が低減することがわかる。
また、風上側吹き上げ力に関しても、第１３図の風上側吹き上げ力の対比表に示す通り、在来型切り妻屋根タイプに係るテント吹き上げ力が最も大きく、続いて台形屋根タイプ（シート蓋なし）に係るテント吹き上げ力が大きく、台形屋根タイプ（シート蓋あり）に係るテント吹き上げが最も小さいことがわかる。
そして、在来型切り妻屋根タイプが風速１０ｍ／ｓで転倒（ＮＧ）となるのに比し、台形屋根タイプ（シート蓋なし及びシート蓋あり）の場合には、風速１３ｍ／ｓで転倒（ＮＧ）するということがわかる。
【図面の簡単な説明】
【００２６】
【図１（ａ）】第１図（ａ）は本発明の第１の実施例の構成を示す斜視図、
【図１（ｂ）】第１図（ｂ）は本発明の第２の実施例の構成を示す斜視図、
【図１（ｃ）】第１図（ｃ）は本発明の第３の実施例の構成を示す斜視図、
【図１（ｄ）】第１図（ｄ）は本発明の第４の実施例の構成を示す斜視図、
【図２】第２図は本発明の第１の実施例の説明用斜視図、
【図３（ａ）】第３図（ａ）は本発明の第１の実施例の他の例の骨組の斜視図、
【図３（ｂ）】第３図（ｂ）は本発明の第１の実施例の他の例の補強材の斜視図、
【図４（ａ）】第４図（ａ）は本発明の第２の実施例の骨組の斜視図、
【図４（ｂ）】第４図（ｂ）は第２の実施例の補強材の斜視図、
【図５（ａ）】第５図（ａ）本発明の第３の実施例の骨組の斜視図、
【図５（ｂ）】第５図（ｂ）は第３の実施例の説明用側面図、
【図６】第６図は、本発明の第４の実施例の説明用斜視図、
【図７（ａ）】第７図（ａ）は、本発明の第４の実施例の係止手段の説明用斜視図、
【図７（ｂ）】第７図（ｂ）は、本発明の第４の実施例の係止手段の説明用斜視図、
【図８】第８図は、本発明の第４の実施例の係止手段の説明用斜視図、
【図９】第９図は、本発明の垂直な側面が台形で天頂部が平坦な天幕屋根の横風対応型野外テントと、従来の切り妻屋根の野外テントとの高さを比較した模式図、
【図１０】第１０図は、本発明の垂直な側面が台形で天頂部が平坦な天幕屋根の横風対応型野外テントと、従来の切り妻屋根の野外テントと、第３の実施例の横風対応型野外テントの高さを比較した模式図、
【図１１（ａ）】第１１図（ａ）は、本発明における骨組の組み立て方法を示す図、
【図１１（ｂ）】第１１図（ｂ）は、本発明における骨組の組み立て方法を示す図、
【図１２】第１２図は、テント吹き上げ力の対比表、
【図１３】第１３図は、風上側吹き上げ力の対比表である。
【符号の説明】
【００２７】
１    本発明の垂直な側面が台形の天幕
１’  従来の切り妻屋根型の天幕
２    骨組
３    棟木
４    梁
５    垂木
６    軒桁
７    妻桁
８    支柱
９    筋交い
１０    補強材（梁）
１０ａ  フック
１１    補強材（棟木）
１１ａ  フック
１１ｂ  補強材の背部
１３    通風口
１４    シート状の蓋
１５    係止手段
１６    ゴムひも
１７    リング
１８    ゴムひも
１００    天幕屋根の垂直な側面
１００ａ  天幕屋根の天頂部
１００ｂ  突出部
１００ｃ  天幕屋根の凸部
１００ｄ  天頂部側面
２００    骨組の側面
２００ａ  骨組の天頂部
２００ｂ  骨組の凸部
２００ｃ  骨組の凸部
【図１（ａ）】
2006090124.tif 000003
【図１（ｂ）】
2006090124.tif 000004
【図１（ｃ）】
2006090124.tif 000005
【図１（ｄ）】
2006090124.tif 000006
【図２】
2006090124.tif 000007
【図３（ａ）】
2006090124.tif 000008
【図３（ｂ）】
2006090124.tif 000009
【図４（ａ）】
2006090124.tif 000010
【図４（ｂ）】
2006090124.tif 000011
【図５（ａ）】
2006090124.tif 000012
【図５（ｂ）】
2006090124.tif 000013
【図６】
2006090124.tif 000014
【図７（ａ）】
2006090124.tif 000015
【図７（ｂ）】
2006090124.tif 000016
【図８】
2006090124.tif 000017
【図９】
2006090124.tif 000018
【図１０】
2006090124.tif 000019
【図１１（ａ）】
2006090124.tif 000020
【図１１（ｂ）】
2006090124.tif 000021
【図１２】
2006090124.tif 000022
【図１３】
2006090124.tif 000023